(57)【要約】【課題】歯列の矯正時間を短縮化し、かつ矯正した綺麗な状態の歯列を維持することが可能な歯列矯正装置を提供する。【解決手段】歯列矯正装置１０は、少なくとも奥歯４を覆うように装着されるマウスピース２０、左右の床部３２と、これら左右の床部３２を介して奥歯４の左右の位置を拡大する拡大ねじ３３を有する拡大装置３０と、を備える。この拡大装置３０は、マウスピース２０が装着される部位に着脱自在に装着されるように構成されている。歯列矯正装置１０は、マウスピース２０の左右の内側にそれぞれに被係止部が設けられる一方、左右の被係止部にそれぞれ係止する左右の係止部が拡大装置３０の左右の床部３２に設けられているものである。【選択図】図３
2020168531.tif 000002
【特許請求の範囲】
【請求項１】
少なくとも奥歯を覆うように装着されるマウスピースと、
左右の床部と、これら左右の床部を介して前記奥歯の左右の位置を拡大する拡大ねじを有する拡大装置と、
を備え、
前記拡大装置は、前記マウスピースが装着される部位に着脱自在に装着されるように構成され、
前記マウスピースの左右の内側にそれぞれ被係止部が設けられる一方、前記左右の被係止部にそれぞれ係止する左右の係止部が前記拡大装置の左右の床部に設けられていることを特徴とする歯列矯正装置。
【請求項２】
少なくとも奥歯を覆うように装着されるマウスピースと、
左右の床部と、これら左右の床部を介して前記奥歯の左右の位置を拡大する拡大ねじを有する拡大装置と、
を備え、
前記拡大装置は、前記マウスピースが装着される部位に着脱自在に装着されるように構成され、
前記マウスピースが装着される部位の左右の歯冠部の内側にそれぞれ被係止部が設けられる一方、前記左右の被係止部にそれぞれ係止する左右の係止部が前記拡大装置の左右の床部に設けられていることを特徴とする歯列矯正装置。
【請求項３】
前記被係止部が複数の突出部から形成される一方、前記左右の係止部が前記拡大装置の左右の床部の外周縁に形成された嵌合凹部であって、前記複数の突出部にそれぞれ前記嵌合凹部が嵌り込んで係止されるように構成されていることを特徴とする請求項１又は２に記載の歯列矯正装置。
【請求項４】
前記被係止部は、前記左右の歯冠部の内側に接着剤にて取り付けられていることを特徴とする請求項２に記載の歯列矯正装置。
【発明の詳細な説明】
【技術分野】
【０００１】
本発明は、歯並びを矯正する歯列矯正装置に関する。
【背景技術】
【０００２】
従来、歯並びを矯正する器具には、歯列に装着するマウスピースがある。このようなマウスピースは、上歯全体又は下歯全体を覆う形状に形成されている。すなわち、上記マウスピースは、口腔内に挿入し、使用者の該当する歯列弓（アーチ）上に装着したとき、そのアーチに歯係合部材が矯正力を与えるように、オープンフレーム構造を有している（例えば、特許文献１参照）。
【０００３】
また、他の歯列矯正装置としては、緩徐拡大矯正装置がある。この緩徐拡大矯正装置には、例えば拡大床タイプの装置がある。この拡大床タイプの緩徐拡大矯正装置は、左右の床部と、これら左右の床部を歯列に固定するためのワイヤと、左右の床部の中央に埋設された拡大ねじとを備えている。そして、上記拡大ねじを回転させることで、床部を左右にスライドさせ、側方の歯列に拡がる力を作用させている（例えば、特許文献２参照）。
【先行技術文献】
【特許文献】
【０００４】
【特許文献１】特許第５７０５７９４号公報
【特許文献２】特許第４３３２６４１号公報
【発明の概要】
【発明が解決しようとする課題】
【０００５】
しかしながら、上述した特許文献１に記載された従来のマウスピースでは、前歯の歯列を比較的長い期間を要せずに矯正することができるものの、歯列を横方向に拡げる力が弱いため、奥歯の歯列を矯正するのに長い期間を要するという問題がある。
【０００６】
また、特許文献２に記載された拡大床タイプの緩徐拡大矯正装置では、奥歯の歯列を横方向に短期間で拡げることができるものの、装着していない期間が長いと、矯正された歯列が矯正前の叢生状態に戻り易いという不具合があり、また歯と歯との間隔が広くなりすぎる場合があるという問題がある。
【０００７】
本発明はこのような問題に鑑みてなされたものであり、歯列の矯正期間を短縮化し、かつ矯正した綺麗な状態の歯列を維持することが可能な歯列矯正装置を提供することを課題としている。
【課題を解決するための手段】
【０００８】
かかる課題を達成するために、請求項１に記載の発明は、少なくとも奥歯を覆うように装着されるマウスピースと、左右の床部と、これら左右の床部を介して前記奥歯の左右の位置を拡大する拡大ねじを有する拡大装置と、を備え、前記拡大装置は、前記マウスピースが装着される部位に着脱自在に装着されるように構成され、前記マウスピースの左右の内側にそれぞれ被係止部が設けられる一方、前記左右の被係止部にそれぞれ係止する左右の係止部が前記拡大装置の左右の床部に設けられた歯列矯正装置としたことを特徴とする。
【０００９】
また、請求項２に記載の発明は、少なくとも奥歯を覆うように装着されるマウスピースと、左右の床部と、これら左右の床部を介して前記奥歯の左右の位置を拡大する拡大ねじを有する拡大装置と、を備え、前記拡大装置は、前記マウスピースが装着される部位に着脱自在に装着されるように構成され、前記マウスピースが装着される部位の左右の歯冠部の内側にそれぞれ被係止部が設けられる一方、前記左右の被係止部にそれぞれ係止する左右の係止部が前記拡大装置の左右の床部に設けられた歯列矯正装置としたことを特徴とする。
【００１０】
また、請求項３に記載の発明は、請求項１又は２に記載の構成に加え、前記被係止部が複数の突出部から形成される一方、前記左右の係止部が前記拡大装置の左右の床部の外周縁に形成された嵌合凹部であって、前記複数の突出部にそれぞれ前記嵌合凹部が嵌り込んで係止されるように構成されていることを特徴とする。
【００１１】
また、請求項４に記載の発明は、請求項２に記載の構成に加え、前記被係止部は、前記左右の歯冠部の内側に接着剤にて取り付けられていることを特徴とする。
【発明の効果】
【００１２】
請求項１に記載の発明によれば、マウスピースの左右の内側にそれぞれ被係止部が設けられる一方、左右の被係止部にそれぞれ係止する係止部を拡大装置の左右の床部に設けたので、マウスピースに対して拡大装置を容易に着脱することが可能になる。また、マウスピースの左右の内側で拡大装置が係止されるため、審美性を向上させることができる。
【００１３】
また、請求項２に記載の発明によれば、マウスピースが装着される部位の左右の歯冠部の内側にそれぞれ被係止部が設けられる一方、左右の被係止部にそれぞれ係止する左右の係止部を拡大装置の左右の床部に設けたので、マウスピースに対して拡大装置を容易に着脱することが可能になる。また、マウスピースが装着される部位の左右の歯冠部の内側で拡大装置が係止されるため、審美性を向上させることができる。
【００１４】
また、請求項３に記載の発明によれば、被係止部が複数の突出部から形成される一方、左右の係止部が拡大装置の左右の床部の外周縁に形成された嵌合凹部であって、複数の突出部にそれぞれ嵌合凹部が嵌り込んで係止されるように構成されているので、拡大装置を容易に着脱することが可能となる。
【００１５】
また、請求項４に記載の発明によれば、被係止部は、左右の歯冠部の内側に接着剤にて取り付けられているので、被係止部を容易に取り付けることができる。
【図面の簡単な説明】
【００１６】
【図１】本発明の第１実施形態に係る歯列矯正装置を上歯に設置した状態を示す下面図である。
【図２】同第１実施形態に係る歯列矯正装置を上歯に設置した状態を示す斜視図である。
【図３】本発明の第２実施形態に係る歯列矯正装置を上歯に設置した状態を示す下面図である。
【図４】図３のＡ部を示す拡大図である。
【発明を実施するための形態】
【００１７】
以下、本発明の各実施形態について説明する。なお、以下の実施形態は、口腔内の上歯にマウスピース及び拡大装置を装着した例について説明する。
［発明の第１実施形態］
図１及び図２には、本発明の第１実施形態を示す。
【００１８】
図１は、本発明の第１実施形態に係る歯列矯正装置を上歯に設置した状態を示す下面図である。図２は、同第１実施形態に係る歯列矯正装置を上歯に設置した状態を示す斜視図である。
【００１９】
本実施形態の歯列矯正装置１０は、図１及び図２に示すように、口腔１内の例えば上歯２に装着して、上歯２の叢生状態を矯正するものである。歯列矯正装置１０は、マウスピース２０、拡大装置としての拡大床３０を有している。
【００２０】
本実施形態のマウスピース２０は、透明な薄片で徐々に歯列を矯正すべき方向、すなわち個々の歯を整列すべき方向に移動させる形状に成型した成型物（アライナー）であり、複数段階的に用意して、それらを定期的に交換することにより矯正治療を進めていくものである。
【００２１】
マウスピース２０は、上歯２の全ての歯、すなわち上歯２の前歯３及び奥歯４を覆うように形成されたプラスチック製のマウスピースであり、透明でかつ前歯３及び奥歯４を覆って所定の形状を保持する硬度を有している。また、マウスピース２０は、上歯２の歯列弓（アーチ）に沿った形状に形成されて前歯３及び奥歯４の歯冠部を覆って保持する本体部２１と、当該本体部２１から歯肉５側に位置する歯肉部２２とを有している。
【００２２】
ここで、前歯３は、切歯であって、左右の中切歯、左右の側切歯、及び左右の犬歯を備える。奥歯４は、臼歯であって、複数の小臼歯、複数の大臼歯を備える。
【００２３】
拡大床３０は、図１に示すように左右の固定ワイヤ３１，３１と、左右の床部３２，３２と、拡大ねじ３３とを備える。左右の固定ワイヤ３１，３１は、それぞれ先端が鉤状に形成されている。左右の固定ワイヤ３１，３１は、左右の奥歯４の歯冠部に対応したマウスピース２０の上からそれぞれ掛止される。すなわち、左右の固定ワイヤ３１，３１は、マウスピース２０上において左右の奥歯４の歯冠部間にそれぞれ掛止される。
【００２４】
左右の床部３２，３２は、それぞれプラスチックによって作製されている。左右の床部３２，３２には、それぞれ左右の固定ワイヤ３１，３１がそれぞれ設けられている。具体的には、左右の固定ワイヤ３１，３１は、左右の奥歯４の歯冠部間にそれぞれ掛止される部分を除く大部分がそれぞれ左右の床部３２，３２に埋設されることで、固定されている。左右の床部３２，３２は、それぞれ左右の奥歯４の歯冠部側がその歯冠部の内側の形状に沿うように形成されている。
【００２５】
拡大ねじ３３は、金属によって作製されて左右の床部３２，３２間に設置されている。拡大ねじ３３は、例えば専用の回転用工具を用いて回転させることで、左右の床部３２，３２及び左右の固定ワイヤ３１，３１を介して左右の奥歯４の位置を拡大するような力を付与する。拡大ねじ３３の両側には、ガイド部３４，３４が設けられている。これらのガイド部３４，３４は、拡大ねじ３３を回転させたとき、左右の床部３２，３２が同一平面を保持して開くように案内する。左右の床部３２，３２は、拡大ねじ３３を回転させる前は互いに接触して略連続して形成されている。
【００２６】
次に、本実施形態の歯列矯正装置１０の作用について説明する。
【００２７】
まず、上歯２の前歯３及び奥歯４を本体部２１で覆うようにマウスピース２０を装着する。次いで、拡大床３０の左右の固定ワイヤ３１，３１を奥歯４の左右の歯冠部に対応したマウスピース２０の上からそれぞれ掛止することで、マウスピース２０の奥歯４の左右の歯冠部間に装着する。
【００２８】
ところで、マウスピース２０は、上述したように前歯３の歯列を比較的長い期間を要せずに矯正することができるものの、奥歯４の歯列を横方向に拡げる力が弱いため、奥歯４の歯列を矯正するのに長い期間を要する。
【００２９】
また、拡大床３０は、上述したように奥歯４の歯列を横方向に短期間で拡げることができるものの、装着していない期間が長いと、矯正された歯列が矯正前の叢生状態に戻り易いという不具合があり、また歯と歯との間隔が広くなりすぎる場合がある。しかし、拡大床３０は、連続して長時間装着すると、口腔１内において舌への違和感が大きいという問題がある。
【００３０】
そこで、本実施形態では、例えばマウスピース２０は、常に装着しておき、拡大床３０は、就寝時や週末及び休日に装着する。すると、拡大床３０によって歯列を短期間で矯正、つまり拡大することができる。そして、拡大床３０を取り外した場合でも、拡大された歯列がマウスピース２０によって拡大前の狭窄した状態に戻ることがなく、矯正した綺麗な状態の歯列を維持することができる。
【００３１】
このように本実施形態の歯列矯正装置１０によれば、マウスピース２０が少なくとも奥歯４を覆うように装着され、このマウスピース２０が装着される部位に拡大床３０が着脱自在に装着されるため、拡大床３０により歯列の矯正期間を短縮化し、かつ矯正した綺麗な状態の歯列をマウスピース２０により維持することが可能になる。
【００３２】
また、奥歯４の歯列を横方向に短期間で拡げることができるので、叢生状態の歯を矯正するために抜歯することがなくなり、各個人の負担を減らすとともに、上顎前突も矯正することができる。加えて、マウスピースの使用回数や使用段階数を減少させることができるため、経済性に優れた歯列矯正装置１０を提供することができる。
【００３３】
さらに、本実施形態の歯列矯正装置１０によれば、拡大床３０は、左右の奥歯４の歯冠部に対応したマウスピース２０にそれぞれ装着される左右の固定ワイヤ３１，３１と、左右の固定ワイヤ３１，３１がそれぞれ取り付けられた左右の床部３２，３２と、左右の床部３２，３２及び左右の固定ワイヤ３１，３１を介して左右の奥歯４の位置を拡大する拡大ねじ３３と、を備えるため、既存のタイプの拡大床を用いることができる。その結果、経済性に優れた歯列矯正装置１０を提供することができる。
［発明の第２実施形態］
図３及び図４には、本発明の第２実施形態を示す。図３は、本発明の第２実施形態に係る歯列矯正装置を上歯に設置した状態を示す下面図である。図４は、図３のＡ部を示す拡大図である。なお、本実施形態では、以下に説明する事項以外については前記第１実施形態と同様であるので、前記第１実施形態と異なる事項以外は説明を省略する。
【００３４】
本実施形態の歯列矯正装置１０は、図３及び図４に示すように、前歯３及び奥歯４に装着したマウスピース２０において、奥歯４の部位に相当する左右の内側、すなわち舌側にそれぞれ被係止部としての突出部２３が複数設けられている。これらの突出部２３は、例えばマウスピース２０の本体部２１とプラスチックによって一体に成形されている。なお、突出部２３は、本体部２１とは別に成形し、突出部２３を本体部２１に接着してもよい。
【００３５】
一方、拡大床３０には、これら左右の突出部２３にそれぞれ嵌り込んで係止する左右の係止部としての嵌合凹部３５が設けられている。
【００３６】
ここで、本実施形態において、拡大ねじ３３及びガイド部３４を金属ではなく、硬質のプラスチックにて構成すれば、全ての部材がプラスチック製となり、金属アレルギーの使用者でも装着することが可能になる。
【００３７】
なお、本実施形態では、突出部２３に嵌合凹部３５が嵌り込んで係止するように構成したが、これに限らず互いに嵌合して係止するものであれば、如何なるものであってもよい。
【００３８】
このように本実施形態の歯列矯正装置１０によれば、マウスピース２０の左右の内側にそれぞれ突出部２３が設けられる一方、左右の突出部２３にそれぞれ係止する左右の嵌合凹部３５を拡大床３０に設けたので、マウスピース２０に対して拡大床３０を容易に着脱することが可能になる。
【００３９】
また、本実施形態の歯列矯正装置１０によれば、マウスピース２０が装着される部位の左右の歯冠部の内側で拡大床３０が係止されるため、審美性を向上させることができる。
【００４０】
さらに、本実施形態の歯列矯正装置１０によれば、拡大床３０は、左右の嵌合凹部３５がそれぞれ取り付けられた左右の床部３２，３２と、左右の床部３２，３２及び左右の嵌合凹部３５を介して左右の奥歯４の位置を拡大する拡大ねじ３３と、を備えているため、拡大ねじ３３によって歯列に対し適正な力を作用させることができる。
【００４１】
次に、本実施形態の変形例について説明する。
【００４２】
前記第２実施形態では、突出部２３を奥歯４の部位に相当するマウスピース２０の左右の内側にそれぞれ被係止部としての突出部２３を複数設けた実施形態である。
【００４３】
本変形例では、突出部２３を左右の奥歯４の歯冠部の内側、すなわち舌側にそれぞれ接着剤により直接取り付けるようにしてもよい。この突出部２３は、マウスピース２０を装着するときに障害となるため、突出部２３に対応する部位にあらかじめ開口部を形成しておくことが望ましい。
【００４４】
このように本変形例によれば、第２実施形態と同様にマウスピース２０に対して拡大床３０を容易に着脱することが可能になる。また、マウスピース２０が装着される部位の左右の歯冠部の内側で拡大床３０が係止されるため、審美性を向上させることができる。
［発明の他の実施形態］
なお、上記各実施形態は本発明の例示であり、本発明が上記各実施形態のみに限定されることを意味するものではないことは、いうまでもない。
【００４５】
上記各実施形態では、マウスピース２０、拡大床３０等の素材、形状については、口腔１内に入れることができるもので同様の機能を有するものであれば、適宜の素材、形状で構成されていてもよい。また、被係止部の形状も突起状でなくてもよく、適宜の形状に形成されていてもよい。同様に、係止部の形状も凹形状でなくてもよく、適宜の形状に形成されていてもよい。
【００４６】
また、上記各実施形態では、拡大装置として拡大床３０を適用した例について説明したが、これに限らず例えばクワドヘリックスタイプの拡大装置やオーバレイタイプの緩徐拡大装置にも適用可能である。
【００４７】
さらに、上記各実施形態は、口腔内の上歯にマウスピース及び拡大装置を装着した例について説明したが、下歯に装着した場合についても同様に適用可能である。
【００４８】
そして、上記各実施形態では、マウスピース２０が前歯３及び奥歯４を覆うように装着した例について説明したが、奥歯４だけを覆うように装着してもよい。つまり、マウスピース２０は、少なくとも奥歯４を覆うように装着すればよい。
【符号の説明】
【００４９】
１  口腔
２  上歯
３  前歯
４  奥歯
５  歯肉
１０  歯列矯正装置
２０  マウスピース
２１  本体部
２２  歯肉部
２３  突出部（被係止部）
３０  拡大床（拡大装置）
３１  固定ワイヤ
３２  床部
３３  拡大ねじ
３４  ガイド部
３５  嵌合凹部（係止部）
【図１】
2020168531.tif 000003
【図２】
2020168531.tif 000004
【図３】
2020168531.tif 000005
【図４】
2020168531.tif 000006